(57)【要約】【課題】器具別流量区分毎にガス使用量を積算する。しかも、一定の積算基準値に達したら、該当する器具別流量区分毎のガス使用量を積算する。【解決手段】流量検出手段２１で所定単位のガス通過量をパルス信号とし、これから増加流量を演算する。更に、器具別流量区分毎に仮カウンタ２６でカウントする。カウンタの内容が一定の積算基準値に到達したら、器具別区分積算カウンタ３０にパルス信号を出力して、器具別区分積算カウンタ３０でカウント積算する。記憶手段３１は積算値を記憶する。【選択図】図３
2005274188.tif 000002
【特許請求の範囲】
【請求項１】
所定単位のガス通過量体積を検出する毎にパルス信号に変換して出力する流量検出手段と、前記パルス信号から増加流量を演算して出力する流量演算手段と、前記流量演算手段で求めた流量を器具別流量テーブルに登録する器具別流量登録手段と、複数の器具別流量区分を予めマイコン内部に登録しておく器具別流量区分登録手段と、前記器具別流量登録手段で登録された流量がどの器具別流量区分に該当するか判定して後記仮カウンタの何れか１つに出力する器具別流量区分判定手段と、前記器具別流量登録手段で登録された流量の積算量を前記器具別流量区分判定手段で判定された該当区分として積算する複数の仮カウンタと、任意の積算基準値を設定して出力する積算基準値設定手段と、該積算基準値設定手段からの出力に基づき器具別流量区分毎に積算基準値を各器具別流量区分テーブルに登録する器具別流量区分毎積算基準値登録手段と、前記仮カウンタが該当する器具別流量区分と同じ流量区分の積算基準値と比較し基準値に到達したら後記複数の器具別区分積算カウンタに出力する器具別流量区分毎積算基準値判定手段と、前記仮カウンタが該当する器具別流量区分と同じ流量区分の器具別積算カウンタに積算する器具別区分積算カウンタと、該器具別区分積算カウンタの各カウント値を記憶する記憶手段とを具備したことを特徴とするガスメータ。
【請求項２】
前記パルス信号から合計流量を演算して出力する第２の流量演算手段と、該第２の流量演算手段で求めた合計流量を流量テーブルに登録する合計流量登録手段と、任意の流量範囲を設定して出力する流量範囲設定手段と、該流量範囲設定手段からの出力に基づき流量範囲の上・下限値を登録する流量範囲登録手段と、前記合計流量登録手段で登録された合計流量が前記流量範囲登録手段で登録された流量範囲内に該当するか判定して範囲内ならば後記開始・終了時刻到達時間判定手段に出力する流量範囲判定手段と、任意の積算開始・終了時刻を設定して出力する開始・終了時刻到達時間設定手段と、該開始・終了時刻到達時間設定手段からの出力に基づき積算開始・終了時刻を登録する開始・終了時刻到達時間登録手段と、前記第２の流量演算手段が合計流量を演算したときの現在時刻が前記開始・終了時刻到達時間登録手段で登録した範囲内なら後記夜間時間帯積算カウンタに出力する開始・終了時刻到達時間判定手段と、前記合計流量登録手段で登録された合計流量が前記流量範囲判定手段で該当流量範囲内と判定され、かつ前記開始・終了時刻到達時間判定手段で該当範囲内と判定された時に前記流量検出手段で検出したガス通過量体積を積算する夜間時間帯積算カウンタと、該夜間時間帯積算カウンタのカウント値を記憶する記憶手段とを具備したことを特徴とする請求項１記載のガスメータ。
【請求項３】
前記パルス信号から合計流量を演算して出力する第２の流量演算手段と、該第２の流量演算手段で求めた合計流量を流量テーブルに登録する合計流量登録手段と、任意の流量範囲を設定して出力する流量範囲設定手段と、該流量範囲設定手段からの出力に基づき流量範囲の上・下限値を登録する流量範囲登録手段と、前記合計流量登録手段で登録された合計流量が前記流量範囲登録手段で登録された流量範囲内に該当するか判定して範囲内ならば後記特定期間開始・終了時刻到達時間判定手段に出力する流量範囲判定手段と、任意の特定期間を設定して後記特定期間開始・終了時刻到達時間登録手段に出力する特定期間開始・終了時刻到達時間設定手段と、該特定期間開始・終了時刻到達時間設定手段からの出力に基づき積算開始・終了時刻を登録する特定期間開始・終了時刻到達時間登録手段と、前記第２の流量演算手段が合計流量を演算したときの現在時刻が前記特定期間開始・終了時刻到達時間登録手段で登録した範囲内なら後記休日積算カウンタに出力する特定期間開始：終了時刻到達時間判定手段と、前記合計流量登録手段で登録された合計流量が前記流量範囲判定手段で該当範囲内と判定され、かつ前記特定期間開始・終了時刻到達時間判定手段で該当範囲内と判定された時に前記流量検出手段で検出したガス通過量体積を積算する休日積算カウンタと、該休日積算カウンタのカウント値を記憶する記憶手段とを具備したことを特徴とする請求項１又は２記載のガスメータ。
【請求項４】
特定期間開始・終了時刻到達時間設定手段で設定する特定期間が年末年始、ゴールデンウィーク又はお盆の何れかであることを特徴とする請求項３記載のガスメータ。
【請求項５】
特定期間開始・終了時刻到達時間設定手段で設定する特定期間が日曜又は土曜と日曜であることを特徴とする請求項３記載のガスメータ。
【請求項６】
前記パルス信号から合計流量を演算して出力する第２の流量演算手段と、該第２の流量演算手段で求めた合計流量を流量テーブルに登録する合計流量登録手段と、任意の流量範囲を設定して出力する流量範囲設定手段と、該流量範囲設定手段からの出力に基づき流量範囲の上・下限値を登録する流量範囲登録手段と、前記合計流量登録手段で登録された合計流量が前記流量範囲登録手段で登録された流量範囲内に該当するか判定して範囲内ならば後記特定期間開始・終了時刻到達時間判定手段に出力する流量範囲判定手段と、季節に関連する任意の特定期間を設定して後記特定期間開始・終了時刻到達時間登録手段に出力する特定期間開始・終了時刻到達時間設定手段と、該特定期間開始・終了時刻到達時間設定手段からの出力に基づき積算開始・終了時刻を登録する特定期間開始・終了時刻到達時間登録手段と、前記第２の流量演算手段が合計流量を演算したときの現在時刻が前記特定期間開始・終了時刻到達時間登録手段で登録した範囲内なら後記季節積算カウンタに出力する特定期間開始：終了時刻到達時間判定手段と、前記合計流量登録手段で登録された合計流量が前記流量範囲判定手段で該当範囲内と判定され、かつ前記特定期間開始・終了時刻到達時間判定手段で該当範囲内と判定された時に前記流量検出手段で検出したガス通過量体積を積算する季節積算カウンタと、該季節積算カウンタのカウント値を記憶する記憶手段とを具備したことを特徴とする請求項１乃至５の何れか１つに記載のガスメータ。
【発明の詳細な説明】
【技術分野】
【０００１】
本発明は、都市ガスやＬＰガス使用量をガスの使用形態別に積算し、使用形態別にガスの使用料金を設定することを可能にするガスメータに関する。
【背景技術】
【０００２】
従来のこの種のガスメータとして、複数電子カウンタ搭載型ガスメータが公知であり（例えば特許文献１参照）、それは図１に示す構成になっていた。図１において、１はガスメータで、ガス供給管に設けられる。２は流量検出部で、ガス供給管を流れるガス流量を検出する。３は流量演算部で、流量検出部２の検出出力によりガス流量を演算する。４は通常積算値演算部で、流量演算部３で演算されたガス流量を積算する。５は通常積算値記憶部で、演算されたガス流量の積算値を記憶する。
【０００３】
また、このガスメータ１は、流量演算部３で演算されたガス流量及び他のガスメータの流量演算出力６を予め定められた区分毎に積算する複数の第２の積算値演算部（７，９，１１）と、演算された区分毎のガス流量積算値を記憶する複数の第２の積算値記憶部（８，１０，１２）を有している。つまり流量演算部３によって演算されたガス流量を予め定められた時間帯別に積算する時間帯別積算値演算部７及び演算された時間帯別積算値を記憶する時間帯別積算値記憶部８と、予め定められた流量区分別及び入力ポート別に積算する流量区分別積算値演算部９及び演算された流量区分別積算値を記憶する流量区分別積算値記憶部１０と、予め定められた設定ガス量を超える超過ガス量を積算する超過量積算値演算部１１及び演算された超過量積算値を記憶する超過量積算値記憶部１２とを備えている。１３〜１６はそれぞれ表示部で、各積算値を表示する。１７は料金演算部、１８は料金表示部で、各記憶部５，８，１０，１２に記憶された積算値と各料金単価とからガス料金を計算し、料金表示部１８で表示できるようにしている。
【０００４】
超過量積算値演算部１１は、図２に示すように、予め設定されているガス量設定値（図２における超過量設定値）を超える超過ガス量のみを積算するものである。図２では、超過分の積算値をハッチングして示している。同図では、時間ｔ１からｔ２の間、ガス流量が観測され、その間の設定値を超える分のガス流量だけが超過量積算値演算部１１で積算され、図１の超過量積算値記憶部１２に記憶される。ガス流量Ｑが時間ｔ１とＴ２の間で、Ｑｍであるとし、超過量設定値をＱｏとすると、超過量積算値は、
（Ｑｍ−Ｑｏ）×（ｔ２−ｔ１）
となり、図２でハッチングした部分となる。
【特許文献１】特開２０００−２０５９２３号公報（３）頁、図２、図６
【発明の開示】
【発明が解決しようとする課題】
【０００５】
ガス供給事業では、ガスの使用形態別にガス使用量を積算して、使用形態別にガスの使用料金を設定することにより、ガスの拡販を図ることが行われており、新しいガス使用形態に応じたガス使用量の積算値を計量するガスメータが求められている。
【０００６】
具体的には、器具別流量区分毎に器具別流量を積算し、器具別のガス使用量が一定の積算基準値に達したらガス使用量として計量値を残す（記憶する）ようにし、この計量値に基づいてガス料金を設定することのできるガスメータの実現が要望されている。
【０００７】
ところが前記従来の技術では、ガス流量Ｑが設定値Ｑｏを超えたときの超過量積算値を記憶部１２に記憶するようにしたもので、前記要望が実現できないという問題点があった。
【０００８】
そこで本発明は、かかる問題点を解消できるガスメータを提供することを目的とする。
【課題を解決するための手段】
【０００９】
本発明は器具別流量区分毎にガス流量を積算する仮カウンタを設け、該仮カウンタの内容が一定の積算基準値に到達したら器具別区分積算カウンタに出力して、器具別流量区分毎に器具別積算カウンタにガス使用量を積算することを最も主要な特徴とする。
【００１０】
そこで、前記目的を達成するために、請求項１の発明は、所定単位のガス通過量体積を検出する毎にパルス信号に変換して出力する流量検出手段と、前記パルス信号から増加流量を演算して出力する流量演算手段と、前記流量演算手段で求めた流量を器具別流量テーブルに登録する器具別流量登録手段と、複数の器具別流量区分を予めマイコン内部に登録しておく器具別流量区分登録手段と、前記器具別流量登録手段で登録された流量がどの器具別流量区分に該当するか判定して後記仮カウンタの何れか１つに出力する器具別流量区分判定手段と、前記器具別流量登録手段で登録された流量の積算量を前記器具別流量区分判定手段で判定された該当区分として積算する複数の仮カウンタと、任意の積算基準値を設定して出力する積算基準値設定手段と、該積算基準値設定手段からの出力に基づき器具別流量区分毎に積算基準値を各器具別流量区分テーブルに登録する器具別流量区分毎積算基準値登録手段と、前記仮カウンタが該当する器具別流量区分と同じ流量区分の積算基準値と比較し基準値に到達したら後記複数の器具別区分積算カウンタに出力する器具別流量区分毎積算基準値判定手段と、前記仮カウンタが該当する器具別流量区分と同じ流量区分の器具別積算カウンタに積算する器具別区分積算カウンタと、該器具別区分積算カウンタの各カウント値を記憶する記憶手段とを具備したことを特徴とするガスメータである。
【００１１】
請求項２の発明は、請求項１のガスメータにおいて、前記パルス信号から合計流量を演算して出力する第２の流量演算手段と、該第２の流量演算手段で求めた合計流量を流量テーブルに登録する合計流量登録手段と、任意の流量範囲を設定して出力する流量範囲設定手段と、該流量範囲設定手段からの出力に基づき流量範囲の上・下限値を登録する流量範囲登録手段と、前記合計流量登録手段で登録された合計流量が前記流量範囲登録手段で登録された流量範囲内に該当するか判定して範囲内ならば後記開始・終了時刻到達時間判定手段に出力する流量範囲判定手段と、任意の積算開始・終了時刻を設定して出力する開始・終了時刻到達時間設定手段と、該開始・終了時刻到達時間設定手段からの出力に基づき積算開始・終了時刻を登録する開始・終了時刻到達時間登録手段と、前記第２の流量演算手段が合計流量を演算したときの現在時刻が前記開始・終了時刻到達時間登録手段で登録した範囲内なら後記夜間時間帯積算カウンタに出力する開始・終了時刻到達時間判定手段と、前記合計流量登録手段で登録された合計流量が前記流量範囲判定手段で該当流量範囲内と判定され、かつ前記開始・終了時刻到達時間判定手段で該当範囲内と判定された時に前記流量検出手段で検出したガス通過量体積を積算する夜間時間帯積算カウンタと、該夜間時間帯積算カウンタのカウント値を記憶する記憶手段とを具備したことを特徴とするものである。
【００１２】
請求項３の発明は、請求項１又は２のガスメータにおいて、前記パルス信号から合計流量を演算して出力する第２の流量演算手段と、該第２の流量演算手段で求めた合計流量を流量テーブルに登録する合計流量登録手段と、任意の流量範囲を設定して出力する流量範囲設定手段と、該流量範囲設定手段からの出力に基づき流量範囲の上・下限値を登録する流量範囲登録手段と、前記合計流量登録手段で登録された合計流量が前記流量範囲登録手段で登録された流量範囲内に該当するか判定して範囲内ならば後記特定期間開始・終了時刻到達時間判定手段に出力する流量範囲判定手段と、任意の特定期間を設定して後記特定期間開始・終了時刻到達時間登録手段に出力する特定期間開始・終了時刻到達時間設定手段と、該特定期間開始・終了時刻到達時間設定手段からの出力に基づき積算開始・終了時刻を登録する特定期間開始・終了時刻到達時間登録手段と、前記第２の流量演算手段が合計流量を演算したときの現在時刻が前記特定期間開始・終了時刻到達時間登録手段で登録した範囲内なら後記休日積算カウンタに出力する特定期間開始：終了時刻到達時間判定手段と、前記合計流量登録手段で登録された合計流量が前記流量範囲判定手段で該当範囲内と判定され、かつ前記特定期間開始・終了時刻到達時間判定手段で該当範囲内と判定された時に前記流量検出手段で検出したガス通過量体積を積算する休日積算カウンタと、該休日積算カウンタのカウント値を記憶する記憶手段とを具備したことをものである。
【００１３】
請求項４の発明は、請求項３のガスメータにおいて、特定期間開始・終了時刻到達時間設定手段で設定する特定期間が年末年始、ゴールデンウィーク又はお盆の何れかであることを特徴とするものである。
【００１４】
請求項５の発明は、請求項３のガスメータにおいて、特定期間開始・終了時刻到達時間設定手段で設定する特定期間が日曜又は土曜と日曜であることを特徴とするものである。
【００１５】
請求項６の発明は、請求項１乃至５の何れか１つのガスメータにおいて、前記パルス信号から合計流量を演算して出力する第２の流量演算手段と、該第２の流量演算手段で求めた合計流量を流量テーブルに登録する合計流量登録手段と、任意の流量範囲を設定して出力する流量範囲設定手段と、該流量範囲設定手段からの出力に基づき流量範囲の上・下限値を登録する流量範囲登録手段と、前記合計流量登録手段で登録された合計流量が前記流量範囲登録手段で登録された流量範囲内に該当するか判定して範囲内ならば後記特定期間開始・終了時刻到達時間判定手段に出力する流量範囲判定手段と、季節に関連する任意の特定期間を設定して後記特定期間開始・終了時刻到達時間登録手段に出力する特定期間開始・終了時刻到達時間設定手段と、該特定期間開始・終了時刻到達時間設定手段からの出力に基づき積算開始・終了時刻を登録する特定期間開始・終了時刻到達時間登録手段と、前記第２の流量演算手段が合計流量を演算したときの現在時刻が前記特定期間開始・終了時刻到達時間登録手段で登録した範囲内なら後記季節積算カウンタに出力する特定期間開始：終了時刻到達時間判定手段と、前記合計流量登録手段で登録された合計流量が前記流量範囲判定手段で該当範囲内と判定され、かつ前記特定期間開始・終了時刻到達時間判定手段で該当範囲内と判定された時に前記流量検出手段で検出したガス通過量体積を積算する季節積算カウンタと、該季節積算カウンタのカウント値を記憶する記憶手段とを具備したことを特徴とするものである。
【発明の効果】
【００１６】
本発明のガスメータは上述のように構成されているので、器具別流量区分毎にガス使用量が一定の積算基準値（所定量）に到達したときのガス使用量を計量するため、前記所定量以上になった時だけ割引料金を適用するなどして、ガスの拡販に役立てることができる。
【００１７】
請求項２記載の発明では、更に、合計流量が特定の流量範囲で、特定時間のガス使用量に対して割引料金が適用できる。
【００１８】
請求項３の発明では、更に、合計流量が特定の流量範囲で、特定休日のガス使用量に対して割引料金が適用できる。
【００１９】
請求項４の発明では、合計流量が特定の流量範囲で、年末年始、ゴールデンウィーク又はお盆の何れかの特定期間のガス使用量に対して割引料金が適用できる。
【００２０】
請求項５の発明では、合計流量が特定の流量範囲で、日曜又は土曜と日曜の特定期のガス使用量に対して割引料金が適用できる。
【００２１】
そして、請求項６の発明では、合計流量が特定の流量範囲で、季節に関連する特定期間のガス使用量に対して割引料金が適用できる。
【００２２】
このようにして、器具別流量区分毎の一定の積算基準値を超える積算値などに基づいて多用な料金システムが構築できる。
【発明を実施するための最良の形態】
【００２３】
次に本発明を実施するための最良の形態を図の実施例に基づいて説明する。
【実施例１】
【００２４】
図３は本発明の実施例１のガスメータのブロック図である。図示されていないガス供給管を流れるガスは、流量検出手段２１で検出され、流量検出手段２１は所定単位のガス通過量（体積）を検出する毎にパルス信号に変換して流量演算手段２２へ出力する。流量演算手段２２は前記パルス信号から増加流量（個別流量）を演算する。流量演算手段で演算して求めた流量は、器具別流量登録手段２３により器具別流量テーブルに登録される。器具別流量区分登録手段２４は、１０区分の器具別流量区分を予めマイコン内部に登録しておく。そして、前記器具別流量登録手段２３で登録された流量が、どの器具別流量区分に該当するかを、器具別流量区分判定手段２５で判定して、仮カウンタ２６の何れか１つに出力する。仮カウンタ２６は前記器具別流量登録手段２３で登録された流量の積算量を前記器具別流量区分判定手段２５で判定された該当区分として６個の前記仮カウンタ２６の何れか１つに積算する。
【００２５】
積算基準値設定手段２７は、図示されてない設定器又はセンター装置から任意の積算基準値を設定し、設定した設定値（積算基準値）を電文にて器具別流量区分毎積算基準値登録手段２８に出力し、積算基準値設定手段２７からの電文出力に基づき、器具別流量区分毎に積算基準値を各器具別流量区分テーブルに登録する。そして前記仮カウンタ２６が該当する器具別流量区分と同じ流量区分の積算基準値と比較し基準値に到達したら、器具別流量区分毎積算基準値判定手段２９により、器具別区分積算カウンタ３０の該当するカウンタへ基準値を出力して、前記仮カウンタ２６が該当する器具別流量区分と同じ流量区分の器具別積算カウンタに基準値に加えて積算する。複数の器具別区分積算カウンタ３０を構成する１〜１０の１０個の器具別区分積算カウンタの各カウント値は、記憶手段３１に記憶され、記憶手段３１に記憶された各器具別積算カウンタのカウント値は、センタ装置又はハンディ読み取り器等の読み取り手段３２で読み取る。読み取り後、仮カウンタ２６と器具別流量区分積算カウンタ３０の各積算値をリセット手段３３でリセットする。
【００２６】
通常は、毎月、検針時に読み取り手段３２で読み取り後、リセット手段３３で前記各積算値をリセットするが、必ずしもリセットしなくてもよい。この場合、先月の積算値から今月の積算値を引き算して求めることができる。
【実施例２】
【００２７】
図４は本発明の実施例２のガスメータのブロック図である。この実施例２は、実施例１と比較して、合計流量が、設定した上・下限流量値の範囲内に属し、かつ時刻設定手段で設定した時間帯のガス使用量を積算する機能を追加した点が異なる。なお、図４の実施例２で、図３の実施例１と同じ作用をする要素は同じ符号をつけて、その説明は省略する。符号２１〜３１で示す各要素の作用は、実施例１も２も同じである。
【００２８】
図４で、第２の流量演算手段３４は、流量検出手段２１のパルス信号から合計流量を演算して出力する。合計流量登録手段３５は、第２の流量演算手段３４で求めた合計流量を流量テーブルに登録する。流量範囲設定手段３６で設定された流量範囲の上・下限値は流量範囲登録手段３７で登録される。流量範囲判定手段３８は、前記合計流量登録手段３５で登録された合計流量が、前記流量範囲登録手段３７で登録された流量範囲内に該当するか判定して、範囲内ならば、開始・終了時刻到達時間判定手段に出力する。該開始・終了時刻到達時間判定手段は、積算開始・終了時刻到達時間設定手段３９で設定され、更に、開始・終了時刻到達時間登録手段４０で登録された積算開始・終了時刻の範囲内に、前記第２の流量演算手段３４による合計流量演算時の現在時刻が入れば夜間時間帯積算カウンタ４２に出力する。こうして、合計流量が前記流量範囲の上・下限値内で、かつ前記現在時刻が積算開始・終了時刻の範囲内の時に、ガス通過量（体積）を夜間時間帯積算カウンタ４２で積算するように、開始・終了時刻到達時間判定手段４１が作用する。夜間時間帯積算カウンタ４２のカウント値は記憶手段４３に記憶される。記憶手段３１と４３の内容は、センタ装置又はハンディ読み取り器等の読み取り手段３２により月末等の検針時に電文で読み取る。仮カウンタ２６、器具別区分積算カウンタ３０及び夜間時間帯積算カウンタ４２は、必要に応じてリセット手段３３によりリセットされる。
【実施例３】
【００２９】
図５は本発明の実施例３のガスメータのブロック図である。この実施例３は、図４の実施例２と比較して、設定手段３９で設置された積算開始・終了時刻範囲内のガス使用量を積算する代わりに、特定期間開始・終了時刻到達時間設定手段４４で設定された特定期間内のガス使用量を積算するようにしている。図５の実施例３においても、図３の実施例１や図４の実施例２と同じ作用をする要素については、同じ符号をつけて、その説明は省略する。
【００３０】
図５の実施例３において、合計流量が設定された流量範囲の上・下限値内にあることが流量範囲判定手段３８で判定され、かつ現在時刻が、特定期間開始・終了時刻到達時間設定手段４４で設定され、特定期間開始・終了時刻到達時間登録手段４５で登録された範囲内であると特定期間開始・終了時刻到達時間判定手段４６が判定すると、流量検出手段２１の流量パルスを休日積算カウンタ４７が積算し、そのカウント値を記憶手段４８が記憶する。記憶手段３１と４８の内容は、センタ装置又はハンディ読み取り器等の読み取り手段３２で月末検針時などに読み取る。読み取り後、必要に応じてリセット手段３３で、仮カウンタ２６と器具別区分積算カウンタ３０及び休日積算カウンタ４７をリセットする。
【実施例４】
【００３１】
本実施例４は、図５の実施例３において、特定期間開始・終了時刻到達時間設定手段４４による積算開始・終了の時期を、〔表１〕のようにしたもので、請求項４の発明に対応する。
【００３２】
【表１】
2005274188.tif 000003
【００３３】
すなわち、〔表１〕に示すように、年末年始、ゴールデンウィーク又はお盆の３つのパターンから指定するようにしている。
【実施例５】
【００３４】
本実施例５は、図５の実施例３において、特定期間開始・終了時刻到達時間設定手段４４による積算開始・終了の時期を〔表２〕のようにしたもので、請求項５の発明に対応する。
【００３５】
【表２】
2005274188.tif 000004
【００３６】
すなわち、〔表２〕に示すように、日曜又は土曜・日曜の２つのパターンから指定するようにしている。積算開始・終了の対象期間（対象時間）は２４時間（１日）と４８時間（２日）に定めている。
【実施例６】
【００３７】
図６は本発明の実施例６のガスメータのブロック図である。この実施例６は、図５の実施例３と比較して、設定手段４４で設定された積算開始・終了期間内のガス使用量を積算する代わりに、特定期間開始・終了時刻到達時間設定手段４９で設定された特定期間内のガス使用量を積算するようにしている。図６の実施例６においても、図３の実施例１、図４の実施例２又は図５の実施例３と同じ作用をする要素については、同じ符号をつけて、その説明は省略する。
【００３８】
図６の実施例６において、合計流量が設定された流量範囲の上・下限値内にあることが流量範囲判定手段３８で判定され、かつ現在時刻が、特定期間開始・終了時刻到達時間設定手段４９で設定された季節に関連する特定期間で、特定期間開始・終了時刻到達時間登録手段５０で登録された範囲内であると特定期間開始・終了時刻到達時間判定手段５１が判定すると、流量検出手段２１の流量パルスを季節積算カウンタ５２が積算し、そのカウント値を記憶手段５３が記憶する。記憶手段３１と５３の内容は、センタ装置又はハンディ読み取り器等の読み取り手段３２で月末検針時などに読み取る。読み取り後必要に応じてリセット手段３３で、仮カウンタ２６と器具別区分積算カウンタ３０及び季節積算カウンタ５２をリセットする。
【産業上の利用可能性】
【００３９】
本発明は、ガスメータやガス検針システムに適用可能である。
【図面の簡単な説明】
【００４０】
【図１】従来技術のガスメータのブロック図。
【図２】従来技術の作用を説明する図。
【図３】本発明のガスメータの実施例１のブロック図。
【図４】本発明のガスメータの実施例２のブロック図。
【図５】本発明のガスメータの実施例３のブロック図。
【図６】本発明のガスメータの実施例６のブロック図。
【符号の説明】
【００４１】
２１  流量検出手段
２２  流量演算手段
２３  器具別流量登録手段
２４  器具別流量区分登録手段
２５  器具別流量区分判定手段
２６  仮カウンタ
２７  積算基準値設定手段
２８  器具別流量区分毎積算基準値登録手段
２９  器具別流量区分毎積算基準値判定手段
３０  器具別区分積算カウンタ
３１  記憶手段
３２  読み取り手段
３３  リセット手段
３４  第２の流量演算手段
３５  合計流量登録手段
３６  流量範囲設定手段
３７  流量範囲登録手段
３８  流量範囲判定手段
３９  開始・終了時刻到達時間設定手段
４０  開始・終了時刻到達時間登録手段
４１  開始・終了時刻到達時間判定手段
４２  夜間時間帯積算カウンタ
４３  記憶手段
４４  特定期間開始・終了時刻到達時間設定手段
４５  特定期間開始・終了時刻到達時間登録手段
４６  特定期間開始・終了時刻到達時間判定手段
４７  休日積算カウンタ
４８  記憶手段
４９  特定期間開始・終了時刻到達時間設定手段
５０  特定期間開始・終了時刻到達時間登録手段
５１  特定期間開始・終了時刻到達時間判定手段
５２  季節積算カウンタ
５３  記憶手段
【図１】
2005274188.tif 000005
【図２】
2005274188.tif 000006
【図３】
2005274188.tif 000007
【図４】
2005274188.tif 000008
【図５】
2005274188.tif 000009
【図６】
2005274188.tif 000010